(57)【特許請求の範囲】
【請求項１】
複数の終端装置を有する局側装置と、
該局側装置と光伝送路を介して接続された複数の加入者側装置と
を含んで構成され、
前記複数の終端装置に、互いに異なる波長が割り当てられるネットワークにおいて、未登録の加入者側装置を登録する方法であって、
１つの終端装置が、全ての前記加入者側装置に対して応答要求信号を送信する過程と、
未登録の加入者側装置が、前記応答要求信号に応答して、いずれかの終端装置に対して応答信号を送信する過程と
前記応答信号を受け取った終端装置が前記未登録の加入者側装置を登録する過程と
を含み、
前記応答要求信号は、いずれかの終端装置に割り当てられた波長の情報を含み、
前記応答要求信号を受信した前記未登録の加入者側装置は、送信する波長及び受信可能な波長を前記波長の情報に基づいて設定する
ことを特徴とする加入者側装置登録方法。
【請求項２】
前記応答信号を送信する過程において、未登録の加入者側装置が、他の終端装置と比して通信量の少ない終端装置に対して前記応答信号を送信する
ことを特徴とする請求項１に記載の加入者側装置登録方法。
【請求項３】
前記応答信号を送信する過程において、未登録の加入者側装置が、ランダムに選択した終端装置に対して前記応答信号を送信する
ことを特徴とする請求項１に記載の加入者側装置登録方法。
【請求項４】
前記応答信号を送信する過程において、過去に登録されたことのある加入者側装置は、当該加入者側装置が有するリンク番号に割り当てられた終端装置に対して前記応答信号を送信する
ことを特徴とする請求項３に記載の加入者側装置登録方法。
【発明の詳細な説明】
【技術分野】
【０００１】
この発明は、複数の終端装置を有する局側装置と、１又は複数の加入者側装置とで構成されるネットワークにおける加入者側装置登録方法に関する。
【背景技術】
【０００２】
通信事業者の所有する建物（局）と加入者宅を結ぶ通信網は、アクセス系ネットワークと呼ばれる。昨今の通信容量の増大を受け、アクセス系ネットワークでは、光通信を利用することにより膨大な情報量の伝送を可能とする、光アクセス系ネットワークが主流になりつつある。
【０００３】
光アクセス系ネットワークの一形態として受動型光加入者ネットワーク（ＰＯＮ：Ｐａｓｓｉｖｅ  Ｏｐｔｉｃａｌ  Ｎｅｔｗｏｒｋ）がある。ＰＯＮは、局内に設けられる１つの局側装置（ＯＬＴ：Ｏｐｔｉｃａｌ  Ｌｉｎｅ  Ｔｅｒｍｉｎａｌ）と、加入者宅にそれぞれ設けられる複数の加入者側装置（ＯＮＵ：Ｏｐｔｉｃａｌ  Ｎｅｔｗｏｒｋ  Ｕｎｉｔ）と、光スプリッタとを備えて構成される。ＯＬＴ及びＯＮＵと、光スプリッタとは、光ファイバで接続される。
【０００４】
ＯＬＴと光スプリッタの間の接続には、一芯の光ファイバが用いられる。この一芯の光ファイバは、複数のＯＮＵにより共有される。また、光スプリッタは、安価な受動素子である。このように、ＰＯＮは、経済性に優れ、また、保守も容易である。このため、ＰＯＮの導入は、急速に進んでいる。
【０００５】
ＰＯＮでは、各ＯＮＵからＯＬＴに送られる信号（以下、上り光信号と称することもある）は、光スプリッタで合波されてＯＬＴに送信される。一方、ＯＬＴから各ＯＮＵに送られる信号（以下、下り光信号と称することもある）は、光スプリッタで分波されて各ＯＮＵに送信される。なお、上り光信号と下り光信号との干渉を防ぐために、上り光信号と下り光信号には、それぞれ異なる波長が割り当てられる。
【０００６】
また、ＰＯＮでは、様々な多重技術が用いられる。ＰＯＮで用いられる多重技術には、時間軸上の短い区間を各加入者に割り当てる時分割多重（ＴＤＭ：Ｔｉｍｅ  Ｄｉｖｉｓｉｏｎ  Ｍｕｌｔｉｐｌｅｘ）技術、異なる波長を各加入者に割り当てる波長分割多重（ＷＤＭ：Ｗａｖｅｌｅｎｇｔｈ  Ｄｉｖｉｓｉｏｎ  Ｍｕｌｔｉｐｌｅｘ）技術、異なる符号を各加入者に割り当てる符号分割多重（ＣＤＭ：Ｃｏｄｅ  Ｄｉｖｉｓｉｏｎ  Ｍｕｌｔｉｐｌｅｘ）技術などがある。これらの多重技術の中で、ＴＤＭを利用するＴＤＭ−ＰＯＮが、現在最も広く用いられている。ＴＤＭ−ＰＯＮでは、ＴＤＭＡ（Ｔｉｍｅ  Ｄｉｖｉｓｉｏｎ  Ｍｕｌｔｉｐｌｅ  Ａｃｃｅｓｓ）が用いられている。ＴＤＭＡは、ＯＬＴが、各ＯＮＵの送信タイミングを管理して、異なるＯＮＵからの上り光信号同士が衝突しないように制御する技術である。
【０００７】
ＰＯＮシステムの中で、Ｅｔｈｅｒｎｅｔ（登録商標）技術を使用したものを、Ｅｔｈｅｒｎｅｔ（登録商標）−ＰＯＮと称し、Ｇｉｇａｂｉｔ（１×１０９ｂｉｔ／ｓｅｃ）Ｅｔｈｅｒｎｅｔ（登録商標）技術を使用したものをＧＥ−ＰＯＮと称する。ＧＥ−ＰＯＮは、ＩＥＥＥ８０２．３ａｈで標準化されている。
【０００８】
ＧＥ−ＰＯＮシステムにおいて、ＯＬＴとＯＮＵとの間の通信を行うためには、ＯＬＴにＯＮＵを登録する必要がある。ＧＥ−ＰＯＮシステムでは、１つのＯＬＴに対して、複数のＯＮＵが接続されているため、新たなＯＮＵの登録は、他の登録済みのＯＮＵとＯＬＴとの間の通信に影響することなく行われる必要がある。そのため、上記ＩＥＥＥ８０２．３ａｈ（以下、標準と称する）では、未登録のＯＮＵがＯＬＴに検出され、登録される手順（以下、ディスカバリシーケンスと称する）が規定されている。
【０００９】
ＯＬＴは、周期的にディスカバリゲートをブロードキャスト送信する。ディスカバリゲートは、ＯＮＵが登録されているか否かに関わらず全てのＯＮＵに対して送信される。なお、ＯＬＴがディスカバリゲートを送信する周期をディスカバリ周期と称する。ＰＯＮシステムに新たに接続されたＯＮＵは、電源がＯＮ状態になり、信号の受信が可能な状態になると、周期的にディスカバリゲートを受信する。
【００１０】
未登録のＯＮＵでは、ディスカバリゲートを受信すると、ＯＬＴに対して登録を要求するレジスタリクエストを送信する。レジスタリクエストには、各ＯＮＵの個体識別番号としてのＭＡＣアドレスが含まれている。
【００１１】
一方、ＯＬＴでは、ディスカバリウィンドウが設定されている。ＯＬＴは、このウィンドウが開いている時間の間、レジスタリクエストの受信を待つ。
【００１２】
ＯＬＴは、レジスタリクエストを受信することで、ＯＮＵのＭＡＣアドレスを認識する。ＯＬＴは、認識したＭＡＣアドレスを有するＯＮＵ宛にレジスタを送る。レジスタには、ＰＯＮシステムにおけるリンク番号（ＬＬＩＤ）が含まれている。
【００１３】
また、ＯＬＴは、レジスタの送信に続いて、送信帯域及び送信タイミングを通知して、上り光信号の送信を許可するゲートをＯＮＵに送る。
【００１４】
ゲートを受信したＯＮＵは、レジスタアック（ＡＣＫ）をＯＬＴに対して送信する。ＯＬＴがレジスタアックを受信すると、ＯＮＵの登録が完了する。すなわち、ディスカバリシーケンスが終了する。
【００１５】
ＯＮＵが登録された後は、ＯＬＴ−ＯＮＵ間の通常の通信が行われる。
【００１６】
ところで、ＴＤＭ及びＷＤＭを併用したＰＯＮシステム（以下、ＴＤＭ／ＷＤＭ−ＰＯＮとも称する）が提案されている。ＴＤＭ／ＷＤＭ−ＰＯＮでは、例えばＯＬＴが複数の終端装置（ＯＳＵ：Ｏｐｔｉｃａｌ  Ｓｕｂｓｃｒｉｂｅｒ  Ｕｎｉｔ）を有している。
【００１７】
ＴＤＭ／ＷＤＭ−ＰＯＮでは、各ＯＳＵに、それぞれ異なる送信波長が割り当てられる。そして、各ＯＳＵは、割り当てられた送信波長の下り光信号を送信する。一方、ＯＮＵは、ＯＳＵから下り光信号によって通知された送信波長及び送信タイミングで上り光信号を送信する。ＴＤＭ／ＷＤＭ−ＰＯＮでは、管理するＯＮＵを、複数のＯＳＵで振り分けて管理し、１つのＯＳＵが管理するＯＮＵを減らすことにより、加入者に提供するサービス帯域を増大させることができる。
【００１８】
ここで、ＴＤＭ／ＷＤＭ−ＰＯＮでは、ＯＮＵは、複数のＯＳＵのうちのいずれかに登録されればよい。既に説明したように、ＴＤＭ／ＷＤＭ−ＰＯＮでは、ＯＮＵは、ＯＳＵに応じた波長で通信を行うため、送信及び受信可能な波長が可変であるのが好ましい。
【００１９】
そこで、ＴＤＭ／ＷＤＭ−ＰＯＮにおいて、ＯＮＵに可変波長フィルタを設ける構成がある（例えば、特許文献１参照）。
【００２０】
この構成において、未登録のＯＮＵは、可変波長フィルタの透過波長を掃引して、ディスカバリゲートを待機する。
【００２１】
未登録のＯＮＵは、下り光信号が入力されると、その光パワーを測定する。そして、測定された光パワーがある値よりも小さい場合には、可変波長フィルタの透過波長を変更し、異なる透過波長を設定する。
【００２２】
また、測定された光パワーがある値以上の場合には、未登録のＯＮＵは、下り光信号がディスカバリゲートであるか否かを判定する。ディスカバリゲートが検出されれば、上述した各過程により、ディスカバリシーケンスが行われる。一方、ディスカバリゲートが検出されなければ、ディスカバリゲートを一定時間待機する。この一定時間の間にディスカバリゲートを受信しない（すなわちタイムアウトとなる）場合には、再び可変波長フィルタの透過波長を変更し、異なる透過波長を設定する。
【先行技術文献】
【特許文献】
【００２３】
【特許文献１】特開２０１１−００４２７０号公報
【発明の概要】
【発明が解決しようとする課題】
【００２４】
従来のＴＤＭ／ＷＤＭ−ＰＯＮでは、未登録のＯＮＵは、可変波長フィルタの透過波長を変更しつつ繰り返し設定し、ディスカバリゲートを受信できる透過波長を探索する必要がある。
【００２５】
また、従来のＴＤＭ／ＷＤＭ−ＰＯＮにおいて、上述したＯＮＵのタイムアウトまでの時間は、ディスカバリ周期以上に設定されている。これは、あるタイミングで設定されている可変波長フィルタの透過波長において、ディスカバリゲートが受信されるか否かを正しく判定するためである。
【００２６】
従って、従来のＴＤＭ／ＷＤＭ−ＰＯＮでは、ディスカバリシーケンスの開始までに長い時間を要し、その結果、ディスカバリシーケンスの完了までに長い時間が必要となる。
【００２７】
この発明の目的は、ＴＤＭ／ＷＤＭ−ＰＯＮにおいて、従来と比して、ディスカバリシーケンスを早期に完了できる加入者側装置登録方法を提供することにある。
【課題を解決するための手段】
【００２８】
上述の目的を達成するために、この発明による加入者側装置登録方法は、以下の特徴を備えている。
【００２９】
すなわち、この発明による加入者側装置登録方法は、複数の終端装置を有する局側装置と、局側装置と光伝送路を介して接続された複数の加入者側装置とを含んで構成され、複数の終端装置に、互いに異なる波長が割り当てられるネットワークにおいて実行される、以下の過程を備えている。
【００３０】
まず、１つの終端装置が、加入者側装置に対して応答要求信号を送信する。次に、未登録の加入者側装置が、応答要求信号に応答して、いずれかの終端装置に対して応答信号を送信する。次に、応答信号を受け取った終端装置が未登録の加入者側装置を登録する。
応答要求信号は、いずれかの終端装置に割り当てられた波長の情報を含む。応答要求信号を受信した未登録の加入者側装置は、送信する波長及び受信可能な波長を、応答要求信号に含まれる波長の情報に基づいて設定する。
【発明の効果】
【００３１】
この発明による加入者側装置登録方法では、特定の１つの終端装置がディスカバリゲートを送信する。従って、未登録の加入者側装置は、可変波長フィルの透過波長を、応答要求信号（例えばディスカバリゲート）を送信する終端装置に設定された下り光信号に合わせて設定することによって、応答要求信号を確実に受信することができる。そのため、未登録の加入者側装置が、可変波長フィルタの透過波長を掃引して、応答要求信号を待機する必要がない。従って、ディスカバリ周期に依存することなく、速やかにディスカバリシーケンスを開始することができ、その結果、早期にディスカバリシーケンスを完了することができる。
【図面の簡単な説明】
【００３２】
【図１】ＴＤＭ／ＷＤＭ−ＰＯＮの概略構成図である。
【図２】ＯＳＵの概略構成図である。
【図３】ＯＮＵの概略構成図である。
【図４】第１の加入者側装置登録方法を説明するためのシーケンス図である。
【図５】第２の加入者側装置登録方法を説明するためのシーケンス図である。
【図６】ＯＮＵに、レジスタリクエストの送信波長をランダムに選択させた場合の、送信波長の発生頻度及び発生割合を確認するための図である。
【発明を実施するための形態】
【００３３】
以下、図を参照して、この発明の実施の形態について説明するが、各構成要素の配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００３４】
（ＴＤＭ／ＷＤＭ−ＰＯＮ）
この発明による加入者側装置登録方法は、ＴＤＭ／ＷＤＭ−ＰＯＮで用いられる。そこで、先ず、図１を参照してＴＤＭ／ＷＤＭ−ＰＯＮの構成について説明する。
【００３５】
ＴＤＭ／ＷＤＭ−ＰＯＮ１０は、ＯＬＴ１００と、光伝送路３００と、ＯＬＴ１００に光伝送路３００を介して接続されている複数のＯＮＵ４００とを含んで構成されている。ＯＬＴ１００は、管理部１１０、スイッチング素子１２０、複数のＯＳＵ２００、及び合分波器１３０を有している。
【００３６】
光伝送路３００は、例えば光ファイバ３１０及び３３０、並びに光スプリッタ３２０を含んで構成されている。図１に示す構成例では、ＯＬＴ１００の合分波器１３０と接続された光ファイバ３１０が、光スプリッタ３２０によって分岐されている。そして、分岐された光ファイバ３３０に、ＯＮＵ４００がそれぞれ接続されている。
【００３７】
ＯＮＵ４００は、ユーザ端末から受信した上りデータ信号と、帯域の要求などを行う上り制御信号を含む上り光信号を生成し、ＯＳＵ２００に送信する。
【００３８】
ＯＳＵ２００は、上位ネットワークから受信した下りデータ信号と、ＯＮＵ４００を管理するための下り制御信号を含む下り光信号を生成し、ＯＮＵ４００に送信する。
【００３９】
なお、図１では、４つのＯＳＵ２００−１〜４と４つのＯＮＵ４００−１〜４を備える構成例を示しているが、ＯＳＵ２００及びＯＮＵ４００の数はこれに限定されない。ＯＳＵ２００及びＯＮＵ４００の詳細な構成及び機能については、後述する。
【００４０】
ここで、ＴＤＭ／ＷＤＭ−ＰＯＮ１０では、ＯＮＵ４００は、複数のＯＳＵ２００のうちのいずれかに登録されればよい。
【００４１】
ＴＤＭ／ＷＤＭ−ＰＯＮ１０では、各ＯＳＵ２００に、それぞれ異なる波長が割り当てられる。そして、各ＯＳＵ２００は、割り当てられた波長の下り光信号を送信する。また、各ＯＳＵ２００は、割り当てられた波長の上り光信号を受信する。
【００４２】
一方、ＯＮＵ４００は、登録されるＯＳＵ２００が受信可能な波長の上り光信号を送信する。このとき、同じＯＳＵ２００に登録されている他のＯＮＵ４００からの上り光信号が重ならないように、同じＯＳＵ２００に登録されている各ＯＮＵ４００には、それぞれ異なる送信タイミングが割り当てられる。
【００４３】
ＴＤＭ／ＷＤＭ−ＰＯＮ１０では、ＯＮＵ４００を、複数のＯＳＵ２００で振り分けて管理し、１つのＯＳＵ２００が管理するＯＮＵ４００の数を減らすことにより、加入者に提供するサービス帯域を増大させることができる。
【００４４】
ＯＬＴ１００が備える管理部１１０は、各ＯＳＵに登録されているＯＮＵ４００の情報（ＰＯＮリンク情報）を管理している。管理部１１０は、ＰＯＮリンク情報をＲＡＭ（Ｒａｎｄｏｍ  Ａｃｃｅｓｓ  Ｍｅｍｏｒｙ）等の記憶部（図示を省略する）に読み出し及び書き換え自在に格納している。そして、管理部１１０は、スイッチング素子１２０から受け取る下りデータ信号の宛先やトラフィックなどの情報と、ＰＯＮリンク情報とに基づいて送信プランを作成する。管理部１１０は、送信プランをスイッチング素子１２０及び各ＯＳＵ２００に通知する。
【００４５】
また、管理部１１０は、下り光信号の波長を各ＯＳＵ２００に通知する波長設定信号を生成する。波長設定信号はＯＳＵ２００に送られる。既に説明したように、ＴＤＭ／ＷＤＭ−ＰＯＮ１０では、各ＯＳＵ２００−ＯＮＵ４００間において、特定の波長で通信を行う。従って、管理部１１０は、各ＯＳＵ２００に対して、それぞれ互いに異なる波長の下り光信号を設定させる。
【００４６】
また、管理部１１０は、送信プランに基づいて、ＯＮＵを新たに登録する先のＯＳＵ２００を決定する。そして、波長通知信号を生成するように、各ＯＳＵ２００に通知する。なお、波長通知信号の詳細については後述するが、ＯＮＵ４００がディスカバリシーケンスを行うＯＳＵ２００に設定された波長の上り光信号を送信できるように、また、ディスカバリシーケンスを行うＯＳＵ２００に設定された波長の下り光信号を受信できるように、ＯＮＵ４００に指示する信号である。
【００４７】
スイッチング素子１２０は、上位ネットワークと各ＯＳＵ２００との通信経路を設定する。スイッチング素子１２０は、管理部１１０から通知される送信プランに基づいて、下りデータ信号を各ＯＳＵ２００に振り分けて送るとともに、各ＯＳＵ２００から送られた上りデータ信号を上位ネットワークに送る。また、上位ネットワークから送られる下りデータ信号の宛先やトラフィックなどの情報を管理部１１０に通知する。
【００４８】
合分波器１３０は、各ＯＳＵ２００から送られる、それぞれ波長の異なる下り光信号を合波し、光伝送路３００を介してＯＮＵ４００へ送る。また、各ＯＮＵ４００からそれぞれ光伝送路３００を介して送られる、波長多重及び時間多重された上り光信号を、波長毎に分波し、波長に応じたＯＳＵ２００へ送る。
【００４９】
（終端装置）
図２を参照して、ＯＳＵ２００の構成について説明する。この実施の形態では、ＯＳＵ２００は、電気信号処理部２５０、及び光信号処理部２７０を含んで構成されている。電気信号処理部２５０は、インタフェース２５５、電気信号送信部２５７、電気信号受信部２５９、及び制御部２６１を備えている。また、光信号処理部２７０は、光信号送信部２７１、光信号受信部２７３、合分波部２７５を備えている。
【００５０】
インタフェース２５５、電気信号送信部２５７及び電気信号受信部２５９は、任意好適な従来のＰＯＮで用いられるＯＬＴと同様に構成できるので、ここでは詳細な説明を省略する。
【００５１】
インタフェース２５５は、上位ネットワークとの間で、スイッチング素子１２０を介して、上りデータ信号及び下りデータ信号の送受信を行う。インタフェース２５５は、上位ネットワークから受信した下りデータ信号を電気信号送信部２５７に送る。また、インタフェース２５５は、電気信号受信部２５９から受け取った上りデータ信号を上位ネットワークに送る。
【００５２】
電気信号送信部２５７は、インタフェース２５５から受け取った下りデータ信号、及び制御部２６１から受け取った下り制御信号に基づいて下り電気信号を生成する。下り電気信号は、光信号送信部２７１に送られる。
【００５３】
光信号送信部２７１は、下り電気信号を、それぞれ下り光信号に変換する。光信号送信部２７１は、例えば可変波長光送信器（ＴＬＤ：Ｔｕｎａｂｌｅ  Ｌａｓｅｒ  Ｄｉｏｄｅ）などの、波長の変更が可能な、任意好適な電気／光変換手段を有して構成されている。
【００５４】
合分波部２７５は、光信号送信部２７１で生成された下り光信号を、合分波器１３０及び光伝送路３００を介してＯＮＵ４００に送る。また、合分波部２７５は、光伝送路３００を介して受け取った上り光信号を光信号受信部２７３に送る。ＴＤＭ／ＷＤＭ−ＰＯＮ１０では、下り光信号と上り光信号とで、異なる波長帯の光が用いられる。そのため、合分波部２７５として、例えばＷＤＭフィルタを利用することによって、上り光信号と下り光信号とを合波及び分波することができる。
【００５５】
光信号受信部２７３は、合分波部２７５を経て送られる上り光信号を上り電気信号に変換する。光信号受信部２７３は、例えば光受信器（ＰＤ：Ｐｈｏｔｏ  Ｄｉｏｄｅ）などの任意好適な光電変換素子を備えて構成されている。ＰＤは、少なくともＯＮＵ４００が設定し得る波長帯の上り光信号を受光できるように設定されている。上り電気信号は、電気信号受信部２５９に送られる。
【００５６】
電気信号受信部２５９は、光信号受信部２７３から受け取った上り電気信号を、上りデータ信号と上り制御信号とに分離する。上りデータ信号は、インタフェース２５５及びスイッチング素子１２０を介して上位ネットワークに送られ、上り制御信号は、制御部２６１に送られる。
【００５７】
制御部２６１は、機能手段として、信号生成手段２６３と、信号読取手段２６５と、ＯＮＵ登録手段２６７と、波長設定手段２６９を備えている。制御部２６１は、従来のＰＯＮで用いられるＯＬＴと同様に構成することができる。そして、各機能手段は、制御部２６１が実行するプログラムにより実現される。また、各機能手段の処理結果等は、適宜ＲＡＭ等の記憶部（図示せず）に格納される。
【００５８】
信号生成手段２６３は、下り制御信号を生成する。下り制御信号としては、例えば、管理部１１０からインタフェース２５５を経て受け取った送信プラン、及びＯＮＵ４００から受け取った要求帯域に基づいて、ＯＮＵ４００に上り光信号の送信帯域及び送信タイミングを指示する信号や、ディスカバリシーケンスで用いられるディスカバリゲート等がある。また、下り制御信号には、上り光信号の送信波長、及び下り光信号の受信波長を指示する情報等が含まれている。既に説明したように、ＴＤＭ／ＷＤＭ−ＰＯＮ１０では、ＯＮＵ４００は、登録されたＯＳＵ２００との間において、特定の波長で通信を行う。そのために、ＯＮＵ４００に対して、送信先のＯＳＵ２００に応じた特定の波長で上り光信号を送信するように、また、送信先のＯＳＵ２００に応じた特定の波長の下り光信号を受信するように、下り制御信号によって指示する。下り制御信号は、電気信号送信部２５７に送られる。
【００５９】
信号読取手段２６５は、上り制御信号に含まれるＭＡＣアドレス及び要求帯域等の各ＯＮＵの情報を読み取る。
【００６０】
ＯＮＵ登録手段２６７は、ディスカバリシーケンスにより通信が可能になったＯＮＵ４００を登録する。さらに、ＯＮＵ登録手段２６７は、自己のＯＳＵ２００に、どのＯＮＵ４００が登録されているか、すなわち、どのＯＮＵ４００とＰＯＮリンクを確立しているかを示すＰＯＮリンク情報などを、インタフェース２５５を経て管理部１１０に通知する。
【００６１】
波長設定手段２６９は、管理部１１０から送られる波長設定信号に基づき、光信号送信部２７１の下り光信号の波長を設定する。
【００６２】
（加入者側装置）
図３を参照して、ＯＮＵ４００の構成について説明する。
【００６３】
図３に示すように、この実施の形態では、ＯＮＵ４００は、電気信号処理部４５０、及び光信号処理部４７０を含んで構成されている。
【００６４】
電気信号処理部４５０は、インタフェース４５５、バッファ部４５６、電気信号送信部４５７、電気信号受信部４５９、及び制御部４６１を備えている。また、光信号処理部４７０は、光信号送信部４７１、光信号受信部４７３、合分波部４７５を備えている。
【００６５】
インタフェース４５５、バッファ部４５６、電気信号送信部４５７、及び電気信号受信部４５９は、任意好適な従来周知のＯＮＵと同様に構成できるので、ここでは詳細な説明を省略する。
【００６６】
合分波部４７５は、上り光信号と下り光信号とを合波及び分波する、合分波部４７５は、例えばＷＤＭフィルタなどの任意好適な合分波器を備えて構成されている。既に説明したように、ＴＤＭ／ＷＤＭ−ＰＯＮでは、下り光信号と上り光信号とで、異なる波長帯の光が用いられる。そのため、例えばＷＤＭフィルタを利用することによって、上り光信号と下り光信号とを合波及び分波することができる。
【００６７】
光信号受信部４７３は、合分波部４７５を経て送られる下り光信号を下り電気信号に変換する。下り電気信号は、電気信号受信部４５９に送られる。光信号受信部４７３は、可変波長フィルタ４７９、及び例えばＰＤなどの任意好適な光電変換素子４７７を備えて構成されている。ＰＤは、少なくともＯＳＵ２００が設定し得る波長帯の下り光信号を受光できるように設定されている。
【００６８】
可変波長フィルタ４７９は、制御部４６１の可変波長フィルタ制御手段４６７からの通知に応じて、透過波長を設定する。
【００６９】
電気信号受信部４５９は、下り電気信号を、下りデータ信号と下り制御信号とに分離する。そして、下りデータ信号を、インタフェース４５５を経てユーザ端末に送る。また、下り制御信号を制御部４６１に送る。
【００７０】
インタフェース４５５は、ユーザ端末との間で、上りデータ信号及び下りデータ信号の送受信を行う。
【００７１】
バッファ部４５６には、インタフェース４５５を経てユーザ端末から受け取った上りデータ信号が格納される。バッファ部４５６は、格納されたデータ量（バッファ量）を制御部４６１に通知するとともに、制御部４６１からの指示に応答して上りデータ信号を読み出して電気信号送信部４５７に送る。
【００７２】
電気信号送信部４５７は、バッファ部４５６から受け取った上りデータ信号、及び制御部４６１から受け取った上り制御信号に基づいて上り電気信号を生成する。そして、上り電気信号を、光信号送信部４７１に送る。
【００７３】
光信号送信部４７１は、上り電気信号を上り光信号に変換する。光信号送信部４７１は、例えばＴＬＤなどの、波長の変更が可能な、任意好適な電気／光変換手段を有して構成されている。上り光信号の波長は、送信設定手段４６６からの通知に基づいて設定される。そして、光信号送信部４７１で生成された上り光信号は、合分波部４７５へ送られ、光伝送路３００を経てＯＳＵ２００に送られる。
【００７４】
制御部４６１は、信号読取手段４６３、信号生成手段４６５、送信設定手段４６６、可変波長フィルタ制御手段４６７を備えている。
【００７５】
信号読取手段４６３は、下り制御信号に含まれる、上り光信号の送信帯域、送信タイミング、及び送信波長、並びに下り光信号の受信波長を指示する情報等の、ＯＬＴとの通信を行うのに必要な情報を読み取る。
【００７６】
信号生成手段４６５は、バッファ部４５６から受け取ったバッファ量を、ＯＳＵ２００に通知する上り制御信号を生成する。上り制御信号は、電気信号送信部４５７に送られる。
【００７７】
送信設定手段４６６は、信号読取手段４６３において読み取った、上り光信号の波長、送信タイミング、及び送信波長を指示する情報等を光信号送信部４７１に通知する。
【００７８】
可変波長フィルタ制御手段４６７は、信号読取手段４６３が下り制御信号から読み取った下り光信号の受信波長の情報に基づき、可変波長フィルタ４７９に、設定すべき透過波長を通知する。
【００７９】
（第１の加入者側装置登録方法）
図４を参照して、この実施の形態の第１の加入者側装置登録方法について説明する。ここでは、加入者側装置登録方法を、上述した標準のディスカバリシーケンスに適用した場合について説明する。
【００８０】
ディスカバリシーケンスは、例えば、未登録のＯＮＵ４００をネットワークに接続し、起動した場合に行われる。また、登録済みのＯＮＵ４００を再起動する場合は、当該ＯＮＵ４００は未登録となり、ディスカバリシーケンスにより再び登録される。
【００８１】
なお、ここでは、複数のＯＳＵ２００のうちの２つのＯＳＵ（ここでは、第１及び第２のＯＳＵ２００−１及び２００−２）と未登録のＯＮＵ４００との間におけるディスカバリシーケンスについて説明する。また、第１のＯＳＵ２００−１は波長λ１の下り光信号を送信し、第２のＯＳＵ２００−２は波長λ２の下り光信号を送信するものとする。
【００８２】
まず、第１のＯＳＵ２００−１は、未登録のＯＬＴ４００に対して応答要求信号（ここでは、ディスカバリゲート）を送信する。
【００８３】
この実施の形態では、ディスカバリゲートを送信するＯＳＵは、複数のＯＳＵ２００のうち、１つのＯＳＵ（ここでは、第１のＯＳＵ２００−１）である。ディスカバリゲートを送信する１つのＯＳＵは、システムの運用開始時において予め設定されている。
【００８４】
ディスカバリゲートは、第１のＯＳＵ２００−１の信号生成手段２６３で下り制御信号として生成される。この下り制御信号には、未登録のＯＮＵ４００に応答信号（ここでは、レジスタリクエスト）の送信タイミングを指示する情報、及び波長通知信号が含まれている。
【００８５】
ここで、第１の加入者側装置登録方法では、後述する過程において、例えば、他のＯＳＵ２００と比して、通常の通信に係る通信量の少ないＯＳＵ（通信を行っていない、又はスリープ状態のＯＳＵを含む）２００に、未登録のＯＮＵ４００からのレジスタリクエストを受信させる。そこで、管理部１１０は、送信プランに基づいて、通信量が少ない又は通信を行っていないＯＳＵ（ここでは第２のＯＳＵ２００−２）を選択する。そして、第２のＯＳＵ２００−２に割り当てられた波長の情報を有する波長通知信号を生成するように、制御部２６１に通知する。この通知に基づいて、信号生成手段２６３が波長通知信号を生成する。波長通知信号は、未登録のＯＮＵ４００に対して、ディスカバリシーケンスを行うＯＳＵ２００−２に設定された上り光信号及び下り光信号の波長を通知する信号として生成される。
【００８６】
さらに、管理部１１０は、第２のＯＳＵ２００−２に対して、応答受信予定期間（ここでは、ディスカバリウィンドウ）を開かせる指示を送る。
【００８７】
ディスカバリゲートとしての下り制御信号は、電気信号送信部２５７及び光信号送信部２７１において、下り光信号に変換された後、全てのＯＮＵ４００に対してブロードキャスト送信される。
【００８８】
次に、未登録のＯＮＵ４００は、ディスカバリゲートに応答して、第２のＯＳＵ２００−２に対して、登録を要求するレジスタリクエストを送信する。
【００８９】
既に説明したように、第１の加入者側装置登録方法では、ディスカバリゲートを送信する１つのＯＳＵ（ここでは、第１のＯＳＵ２００−１）が、システムの運用開始時において予め設定されている。そして、第１のＯＳＵ２００−１がディスカバリゲートを送信するという情報は、予め各ＯＮＵ４００に周知されている。従って、ＯＮＵ４００は、起動時において、可変波長フィルタ４７９の透過波長を、第１のＯＳＵ２００−１からの下り光信号に割り当てられた波長λ１に設定することによって、ディスカバリゲートを確実に受信することができる。
【００９０】
未登録のＯＮＵ４００では、ディスカバリゲートとしての下り光信号は、合分波部４７５を経て光信号受信部４７３に送られる。光信号受信部４７３は、下り光信号を下り電気信号に変換する。変換された下り電気信号は、電気信号受信部４５９に送られる。電気信号受信部４５９は、下り電気信号を下り制御信号に復元する。復元された下り制御信号は、制御部４６１に送られる。
【００９１】
制御部４６１は、信号読取手段４６３において、下り制御信号に含まれる、レジスタリクエストの送信タイミングを指示する情報、及び波長通知信号を読み取る。送信設定手段４６６は、読み取ったレジスタリクエストの送信タイミングに基づき、ランダムディレイを挿入して送信タイミングを設定する。そして、設定した送信タイミングを光信号送信部４７１に通知する。また、送信設定手段４６６は、信号読取手段４６３において読み取った波長通知信号に基づき、レジスタリクエストの送信波長を光信号送信部４７１に通知する。ここでは、レジスタリクエストの送信波長は、第２のＯＳＵ２００−２が受信可能な波長に設定される。また、可変波長フィルタ制御手段４６７は、信号読取手段４６３において読み取った波長通知信号に基づき、ディスカバリシーケンスを行う第２のＯＳＵ２００−２の下り光信号に割り当てられた波長λ２を、可変波長フィルタ４７９に通知する。
【００９２】
可変波長フィルタ４７９は、可変波長フィルタ制御手段４６７からの通知に基づき、可変波長フィルタ４７９の透過波長をλ２に変更する。
【００９３】
また、制御部４６１は、信号生成手段４６５において、レジスタリクエストとしての上り制御信号を生成する。レジスタリクエストには、ＯＮＵの個体識別番号としてのＭＡＣアドレスが含まれている。上り制御信号は、電気信号送信部４５７に送られる。電気信号送信部４５７は、上り制御信号に基づいて上り電気信号を生成し、光信号送信部４７１に送る。光信号送信部４７１は、上り電気信号を上り光信号に変換する。上り光信号は、制御部４６１から通知された、第２のＯＳＵ２００−２が受信可能な波長で生成される。
【００９４】
レジスタリクエストとしての上り光信号は、第２のＯＳＵ２００−２に送られる。
【００９５】
以降の登録処理は、レジスタリクエストを受信する第２のＯＳＵ２００−２が、標準のディスカバリシーケンスに基づき、未登録のＯＮＵ４００の登録処理を実行する。以下に、処理の過程を説明する。
【００９６】
第２のＯＳＵ２００−２は、未登録のＯＮＵ４００から送信されたレジスタリクエストを受信する。
【００９７】
第２のＯＳＵ２００−２では、ディスカバリウィンドウが設定されている。第２のＯＳＵ２００−２は、このウィンドウが開いている間、レジスタリクエストの受信を待つ。なお、未登録のＯＮＵ４００で設定されるランダムディレイの大きさは、第２のＯＳＵ２００−２におけるレジスタリクエストの受信が、ディスカバリウィンドウが開いている間にされる範囲内で設定される。
【００９８】
第２のＯＳＵ２００−２において、レジスタリクエストとしての上り光信号は、合分波部２７５を経て光信号受信部２７３に送られる。光信号受信部２７３は、上り光信号を上り電気信号に変換する。変換された上り電気信号は、電気信号受信部２５９に送られる。電気信号受信部２５９は、上り電気信号を上り制御信号に復元する。復元された上り制御信号は、制御部２６１に送られる。制御部２６１は、信号読取手段２６５において、上り制御信号に含まれるＭＡＣアドレスを読み取る。
【００９９】
次に、第２のＯＳＵ２００−２は、ＬＬＩＤを含むレジスタ、及び送信帯域及び送信タイミングを通知して、上り光信号の送信を許可するゲートを未登録のＯＮＵ４００に送る。上述したように、未登録のＯＮＵ４００の可変波長フィルタ４７９の透過波長は、第２のＯＳＵ２００−２に設定された下り光信号の波長λ２に設定されている。従って、未登録のＯＮＵ４００は、第２のＯＳＵ２００−２からのレジスタ及びゲート等の下り光信号を受信することができる。
【０１００】
次に、ゲートを受信した未登録のＯＮＵ４００は、レジスタアックを第２のＯＳＵ２００−２に対して送信する。第２のＯＳＵ２００−２がレジスタアックを受信すると、ＯＮＵ登録手段２６７は、そのレジスタアックの送信元のＯＮＵ４００を登録する。その結果、未登録のＯＮＵ４００は登録済みとなり、ディスカバリシーケンスが終了する。
【０１０１】
ディスカバリシーケンスが終了すると、第２のＯＳＵ２００−２のＯＮＵ登録手段２６７は、登録されたＯＮＵ４００の情報を管理部１１０に送る。
【０１０２】
ここで、ディスカバリゲートを送信する１つのＯＳＵ（ここでは、第１のＯＳＵ２００−１）は、周期的にディスカバリゲートを送信する。従って、上述したディスカバリシーケンスは、周期的に行われる。そして、第１の加入者側装置登録方法では、第１のＯＳＵ２００−１がディスカバリゲートを送信するタイミングにおいて、他のＯＳＵと比して通信量の少ないＯＳＵがレジスタリクエストを受信し、ディスカバリシーケンスを行う。
【０１０３】
なお、この第１の加入者側装置登録方法は、上述した構成例に限定されない。例えば、他のＯＳＵと比して通信量が少ないＯＳＵとして、ＯＳＵを追加的に増設することができる。そして、その増設したＯＳＵにレジスタリクエストを受信させ、ディスカバリシーケンスを実行させることができる。また、例えば、ディスカバリゲートを送信するＯＳＵの通信量が、他のＯＳＵと比して少ない場合には、ディスカバリゲートを送信するＯＳＵにレジスタリクエストを受信させ、ディスカバリシーケンスを実行させることもできる。
【０１０４】
このように、第１の加入者側装置登録方法では、特定の１つのＯＳＵ２００がディスカバリゲートを送信する。従って、未登録のＯＮＵ４００は、可変波長フィルタ４７９の透過波長を、ディスカバリゲートを送信するＯＳＵ２００に設定された下り光信号に合わせて設定することによって、ディスカバリゲートを確実に受信することができる。そのため、未登録のＯＮＵ４００が、ディスカバリゲートを受信するまで、可変波長フィルタの透過波長を掃引する必要がない。従って、ディスカバリ周期に依存することなく、速やかにディスカバリシーケンスを開始することができ、その結果、早期にディスカバリシーケンスを完了することができる。
【０１０５】
また、第１の加入者側装置登録方法では、他のＯＳＵと比して通信量の少ないＯＳＵがレジスタリクエストを受信し、ディスカバリシーケンスを行う。従って、ディスカバリシーケンスの実施による、通常の通信のスループットの低下を、システム全体として抑えることができる。
【０１０６】
（第２の加入者側装置登録方法）
図５を参照して、第２の加入者側装置登録方法について説明する。
【０１０７】
この実施の形態では、未登録のＯＮＵ４００が多数存在する場合において、これら未登録のＯＮＵ４００を短時間で登録する方法について説明する。具体的な例としては、例えばシステムの運用開始直後の、各ＯＳＵ２００がそれぞれ未だＯＮＵ４００を登録していない状態等が想定される。この第２の加入者側装置登録方法では、複数のＯＳＵ４００に、未登録のＯＮＵ４００を分散して登録させる。
【０１０８】
ここでは、複数のＯＳＵ２００のうちの２つのＯＳＵ（ここでは、第１及び第２のＯＳＵ２００−１及び２００−２）と２つの未登録のＯＮＵ（ここでは、第１及び第２のＯＮＵ４００−１及び４００−２）との間におけるディスカバリシーケンスについて説明する。そして、第１のＯＳＵ２００−１は波長λ１の下り光信号を送信し、第２のＯＳＵ２００−２は波長λ２の下り光信号を送信するものとする。
【０１０９】
また、第２の加入者側装置登録方法においても、上述した第１の加入者側装置登録方法と同様に、複数のＯＳＵ２００のうち、１つのＯＳＵ（ここでは、第１のＯＳＵ２００−１）がディスカバリゲートを送信する。ディスカバリゲートを送信する１つのＯＳＵは、システムの運用開始時において予め設定されている。そして、第１のＯＳＵ２００−１がディスカバリゲートを送信するという情報は、予め各ＯＮＵ４００に周知されている。従って、未登録のＯＮＵ４００は、起動すると、可変波長フィルタ４７９の透過波長がλ１に設定される。
【０１１０】
まず、第１のＯＳＵ２００−１は、未登録のＯＬＴ４００−１及び４００−２に対してディスカバリゲートを送信する。
【０１１１】
上述した第１の加入者側装置登録方法と同様に、ディスカバリゲートには、未登録のＯＮＵ４００−１及び４００−２にレジスタリクエストの送信タイミングを指示する情報、及び波長通知信号が含まれている。波長通知信号は、ディスカバリシーケンスを行うＯＳＵ２００に割り当てられた波長の情報を有している。また、ディスカバリゲートは、全てのＯＮＵ４００に対してブロードキャスト送信される。
【０１１２】
ここで、この第２の加入者側装置登録方法では、後述する過程において、複数のＯＳＵに、未登録のＯＮＵ４００からのレジスタリクエストを分散して受信させる。
【０１１３】
そこで、管理部１１０は、送信プランに基づいて、通信量が同程度である複数のＯＳＵ（ここでは、第１及び第２のＯＳＵ２００−１及び２００−２）を選択する。そして、管理部１１０は、レジスタリクエストが第１及び第２のＯＳＵ２００−１及び２００−２に分散して送信されるように、第１のＯＳＵ２００−１に通知する。その結果、未登録のＯＮＵ４００に指示するレジスタリクエストの送信波長として、第１のＯＳＵ２００−１に対して送信される値、又は第２のＯＳＵ２００−２に対して送信される値をランダムに選択させる波長通知信号が生成される。
【０１１４】
また、既に説明したように、波長通知信号は、ディスカバリシーケンスを行うＯＳＵ２００に割り当てられた下り光信号の波長を有する。上述したように、ここでは、未登録のＯＮＵ４００に、レジスタリクエストの送信波長を、第１及び第２のＯＳＵ２００−１及び２００−２が受信可能な波長からランダムに選択させる。従って、未登録のＯＮＵ４００がそれぞれランダムに選択した波長に対応する送信先のＯＳＵ２００によって、ディスカバリシーケンスが行われる。そこで、選択されたレジスタリクエストの波長に対応する、ＯＳＵ２００の下り光信号の波長を、透過波長として設定させる情報を、波長通知信号は有する。
【０１１５】
さらに、管理部１１０は、第１のＯＳＵ２００−１及び第２のＯＳＵ１００−２に対して、ディスカバリウィンドウを開かせる指示を送る。
【０１１６】
次に、未登録のＯＮＵ４００−１及び４００−２は、ディスカバリゲートに応答して、登録を要求するレジスタリクエストを送信する。
【０１１７】
既に説明したように、未登録のＯＮＵ４００−１及び４００−２の可変波長フィルタ４７９の透過波長は、第１のＯＳＵ２００−１に設定された下り光信号の波長λ１に設定されている。従って、ディスカバリゲートを確実に受信することができる。
【０１１８】
未登録のＯＮＵ４００−１及び４００−２は、ディスカバリゲートの通知に基づき、第１のＯＳＵ２００−１に対して送信される波長、又は第２のＯＳＵ２００−２に対して送信される波長をランダムに選択して、レジスタリクエストを生成する。ここでは、未登録のＯＮＵ４００−１が、第１のＯＳＵ２００−１に対して送信されるレジスタリクエストを生成する。また、未登録のＯＮＵ４００−２が、第２のＯＳＵ２００−２に対して送信されるレジスタリクエストを生成する。そして、ランダムディレイを挿入し、ディスカバリゲートで通知されたタイミングで、レジスタリクエストを送信する。また、未登録のＯＮＵ４００−１及び４００−２は、ディスカバリゲートの通知に基づき、レジスタリクエストを送信する先のＯＳＵ２００に応じて、可変波長フィルタ４７９の透過波長を設定する。ここでは、未登録のＯＮＵ４００−１は、第１のＯＳＵ２００−１に対してレジスタリクエストを送信するため、可変波長フィルタ４７９の透過波長をλ１から変更せずに維持する。また、また、未登録のＯＮＵ４００−２は、第２のＯＳＵ２００−２に対してレジスタリクエストを送信するため、可変波長フィルタ４７９の透過波長をλ２に変更する。
【０１１９】
次に、第１のＯＳＵ２００−１は、未登録のＯＮＵ４００−１から送信されたレジスタリクエストを受信する。また、第２のＯＳＵ２００−２は、未登録のＯＮＵ４００−２から送信されたレジスタリクエストを受信する。
【０１２０】
以降は、第１のＯＳＵ２００−１が未登録のＯＮＵ４００−１に対して、及び第２のＯＳＵ２００−２が未登録のＯＮＵ４００−２に対して、それぞれ標準のディスカバリシーケンスに基づき登録処理を実行する。
【０１２１】
ここで、発明者は、レジスタリクエストの送信波長をランダムに選択させる際の、各送信波長の発生頻度について確認した。結果を図６に示す。図６は、表計算ソフトの乱数発生の関数を利用して得られた図であり、縦軸に、発生頻度及び発生割合をとって示してある。ここでは、５１２台の未登録のＯＮＵ４００に対して、４つのＯＳＵ２００−１〜４に設定された下り光信号の波長からランダムに選択させる場合を想定した。この例において、各未登録のＯＮＵ４００に対して、レジスタリクエストの送信波長が均等に割り当てられた場合、各送信波長の発生頻度は、それぞれ１２８となる。
【０１２２】
図６に示すように、各送信波長の発生頻度は、概ね１２８の近傍の値となった。そして、発生割合についても、各送信波長で同程度の値となった。従って、未登録のＯＮＵ４００に、レジスタリクエストの送信波長をランダムに選択させることにより、レジスタリクエストの送信波長を分散して割り当てられることが確認された。
【０１２３】
このように、第２の加入者側装置登録方法では、未登録のＯＮＵ４００に、レジスタリクエストの送信波長をランダムに選択させることによって、ディスカバリシーケンスを行うＯＳＵ２００を分散することができる。その結果、未登録のＯＮＵ４００が多数存在する場合において、各未登録のＯＮＵ４００が、ディスカバリシーケンスを待機する時間を短縮することができる。また、各ＯＳＵ２００が行うディスカバリシーケンスの回数を平均化できるので、システム全体として、ディスカバリシーケンスに要する時間を短縮することができる。
【０１２４】
（第３の加入者側装置登録方法）
第３の加入者側装置登録方法では、多数のＯＮＵ４００が未登録であり、これら多数の未登録のＯＮＵ４００が、過去に登録されたことのあるＯＮＵ４００を含む場合において、上述した加入者側装置登録方法を適用する例について説明する。具体的な例としては、例えば広域停電の復旧直後の状態等が想定される。この第３の加入者側装置登録方法では、上述した第２の加入者側装置登録方法と同様に、複数のＯＳＵ４００に、未登録のＯＮＵ４００を分散して登録させる。
【０１２５】
第３の加入者側装置登録方法においても、複数のＯＳＵ２００のうち、１つのＯＳＵ（ここでは、第１のＯＳＵ２００−１）がディスカバリゲートを送信する。ディスカバリゲートを送信する１つのＯＳＵは、システムの運用開始時において予め設定されている。そして、第１のＯＳＵ２００−１がディスカバリゲートを送信するという情報は、予め各ＯＮＵ４００に周知されている。従って、未登録のＯＮＵ４００は、起動すると、可変波長フィルタ４７９の透過波長がλ１に設定される。
【０１２６】
過去に登録されたことのあるＯＮＵ４００は、過去のディスカバリシーケンスにおいて、ＯＳＵ２００から与えられたＬＬＩＤを有している。第１のＯＳＵ２００−１は、管理部１１０からの通知に基づき、未登録のＯＮＵ４００がそれぞれ有するＬＬＩＤと、通知するレジスタリクエストの送信波長とを組み合わせた関係を決定する。ここでは、各ＬＬＩＤに対して、レジスタリクエストの送信先のＯＳＵ２００が分散するように割り当てる。表１に、ＬＬＩＤと、割り当てるレジスタリクエストの送信先のＯＳＵ２００の一例を示す。
【０１２７】
【表１】
0005565489.tif 000002
【０１２８】
表１に示す例では、１０個のＬＬＩＤを一組として、各組に対して、異なるレジスタリクエストの送信先ＯＳＵ２００を割り当てている。また、過去に登録されたことのないＯＮＵ４００に対しては、第２の加入者側装置登録方法と同様に、レジスタリクエストの送信波長をランダムに設定するように通知する。
【０１２９】
第１のＯＳＵ２００−１は、ＬＬＩＤ毎に割り当てたレジスタリクエストの送信波長の情報を、ディスカバリゲートによって、未登録のＯＮＵ４００に通知する。
【０１３０】
ディスカバリゲートを受信した未登録のＯＮＵ４００は、自身が有するＬＬＩＤに対して割り当てられた送信波長でレジスタリクエストを送信する。また、可変波長フィルタ４７９の透過波長を、レジスタリクエストの送信先のＯＳＵ２００に応じて設定する。
【０１３１】
このように、第３の加入者側装置登録方法では、過去に登録されたことのあるＯＮＵ４００に対し、ＬＬＩＤを利用して、レジスタリクエストの送信先のＯＳＵ２００が分散するように割り当てる。そのため、未登録のＯＮＵ４００が多数存在する場合において、ディスカバリシーケンスを行うＯＳＵ２００を平均的に分散することができる。
【符号の説明】
【０１３２】
１０：ＴＤＭ／ＷＤＭ−ＰＯＮ
１００：局側装置（ＯＬＴ）
１１０：管理部
１２０：スイッチング素子
１３０：合分波器
２００：終端装置（ＯＳＵ）
２５０、４５０：電気信号処理部
２５５、４５５：インタフェース
２５７、４５７：電気信号送信部
２５９、４５９：電気信号受信部
２６１、４６１：制御部
２６３、４６５：信号生成手段
２６５、４６３：信号読取手段
２６７：ＯＮＵ登録手段
２６９：波長設定手段
２７０、４７０：光信号処理部
２７１、４７１：光信号送信部
２７３、４７３：光信号受信部
２７５、４７５：合分波部
３００：光伝送路
３１０、３３０：光ファイバ
３２０：光スプリッタ
４００：加入者側装置（ＯＮＵ）
４５６：バッファ部
４６６：送信設定手段
４６７：可変波長フィルタ制御手段
４７７：光電変換素子
４７９：可変波長フィルタ
【要約】
【課題】ＴＤＭ／ＷＤＭ−ＰＯＮにおいて、従来と比して、ディスカバリシーケンスを早期に完了できる加入者側装置登録方法を提供する。
【解決手段】複数の終端装置を有する局側装置と複数の加入者側装置とを含んで構成され、複数の終端装置には、互いに異なる波長が割り当てられるネットワークにおいて、１つの終端装置が、加入者側装置に対して応答要求信号（ディスカバリゲート）を送信する。未登録の加入者側装置が、応答要求信号に応答して、いずれかの終端装置に対して応答信号（レジスタリクエスト）を送信する。応答信号を受け取った終端装置が未登録の加入者側装置を登録する。
【選択図】図５【図１】
0005565489.tif 000003
【図２】
0005565489.tif 000004
【図３】
0005565489.tif 000005
【図４】
0005565489.tif 000006
【図５】
0005565489.tif 000007
【図６】
0005565489.tif 000008